(57)【要約】【課題】回路基板を被包する基板被包部材を備えた遊技機において、被包部材を不正に開封するといった不正行為を抑制でき不正行為を早期に発見することのできる遊技機を提供する。【解決手段】ボックス本体およびボックス蓋体４２にユニット部材１を取り付け、ボックス本体にボックス蓋体４２を被せる。そして、封印金具が挿入孔内に押し込まれると、係止爪が係止孔内に係止され、頭部が係合穴内に係合される。このように封印金具が封印部材内にて抜き取り不可能な状態で保持されると、ボックス本体とボックス蓋体４２とが開封不可能に連結され、基板ボックス４０が封印される。基板ボックス４０が少なくとも正規の手法とは異なる所定の手法で開封された場合に、第１の状態から第２の状態へと状態変化する状態変化手段が設けられる。【選択図】      図１
2010155133.tif 000002
【特許請求の範囲】
【請求項１】
回路基板を被包するための基板被包部材を備え、該基板被包部材が封印状態となるよう構成されている遊技機において、
前記封印状態にある基板被包部材が、少なくとも正規の手法とは異なる所定の手法で開封された場合に、第１の状態から第２の状態へと状態変化する状態変化手段を設けたことを特徴とする遊技機。
【発明の詳細な説明】
【技術分野】
【０００１】
本発明は、制御回路基板を収納する遊技機用基板ボックスを備えた遊技機に関するものである。
【背景技術】
【０００２】
近年、パチンコ機およびスロットマシン等の遊技機の制御はＩＣ，ＬＳＩ等の多数の電子部品を配設したロジック制御回路基板またはマイクロコンピュータを有する制御回路基板等により行われている。これらの制御回路基板は、例えばパチンコ機では遊技盤の背面に配設される入賞球集合カバーまたは機構板に取付けられる遊技機用基板ボックス内に収納されている。この遊技機用基板ボックスは制御回路基板を被包して収納するためのボックスベースとボックスカバーとを備えている。
【０００３】
ところで、かかる遊技用基板ボックス内に収納された制御回路基板から遊技内容に関する制御情報が記憶されたＲＯＭを取り外し交換したり、基板ごと交換したりして、遊技機の遊技内容を変更する不正行為が近年問題になっている。このような不正行為の防止対策として、例えばボックスベースとボックスカバーとを封印ねじ等の特殊ねじを用いて接合し、遊技機用基板ボックスを封印する方法が挙げられる。
【０００４】
かかる封印ねじは、例えばスクリュードライバ等のねじ回し工具が締め付け方向（ねじ込み方向）にのみ係合される十字溝をねじ頭部に形成したものであり、ねじを緩める方向にねじ回し工具を回転させると、ねじ回し工具が空回りすることにより外すことができない特殊ねじである。よって、この封印ねじを用いて遊技機用基板ボックスのボックスベースおよびボックスカバーを接合した場合、遊技機用基板ボックスを容易に開封することができないので、遊技機用基板ボックス内の制御回路基板から遊技内容に関する制御情報の記憶されたＲＯＭを取り外して交換する等の不正行為の抑制が図られる。
【発明の概要】
【発明が解決しようとする課題】
【０００５】
しかしながら、かかる封印ねじは、不正行為者、十字溝にねじ回し工具を強く押しつけて、当該封印ねじの緩み方向（反ねじ込み方向）に回転させたりするといった所定の操作を行うことにより、取り外すことが可能な場合がある。
【０００６】
また、封印ねじを用いる方式に代えて、封印部分に返しの付いたピンを挿入するかしめ方式を採用することも考えられる。しかし、この場合、ピンの返し部分を巧妙に押さえながらピンを不正に抜き取ることが行われることがある。
【０００７】
さらに、前記封印ねじや、返しの付いたピンの設けられているいわゆる封印部分が、レーザーカッタ等で切断されることにより、基板ボックスを開封するといった不正が行われることもある。この場合、ＲＯＭを交換したり、不正な基板に交換したりした後に、切断面を再度巧妙に接合することで、不正が行われた事実を確認しにくくすることも考えられる。
【０００８】
本発明は上述した問題点を解決するためになされたものであり、回路基板を被包するための基板被包部材を備えた遊技機において、被包部材を不正に開封するといった不正行為を抑制することができ、万一、かかる不正行為が行われた場合であっても、その不正行為を早期に発見することのできる遊技機を提供することを目的としている。
【課題を解決するための手段】
【０００９】
上記の目的を達成するために有効な手段を以下に示す。なお、必要に応じてその作用等についても説明する。
【００１０】
１．回路基板を被包するための基板被包部材を備え、該基板被包部材が封印状態となるよう構成されている遊技機において、前記封印状態にある基板被包部材が、少なくとも正規の手法とは異なる所定の手法で開封された場合に、第１の状態から第２の状態へと状態変化する状態変化手段を設けたことを特徴とする遊技機。
【００１１】
上記手段１によれば、回路基板は基板被包部材により被包され、該基板被包部材が封印状態となっている。さて、かかる遊技機において、封印状態にある基板被包部材が、少なくとも正規の手法とは異なる所定の手法で開封された場合に、状態変化手段が第１の状態から第２の状態へと状態変化する。このため、所定の手法で開封された場合には、第２の状態へと変化した状態変化手段に基づいて容易に不正が発見される。従って、基板被包部材に被包された回路基板を操作等することにより遊技内容を変更するといった不正行為を間接的に防止することが可能となる。
【００１２】
２．前記基板被包部材は、第１被包部材と第２被包部材とから構成され、各被包部材を連結することにより前記回路基板を被包可能とすることを特徴とする手段１に記載の遊技機。
【００１３】
手段２によれば、各被包部材を連結するだけで、回路基板を被包することが可能となる。このため、被包作業効率の向上を図ることができる。
【００１４】
３．回路基板を被包するための基板被包部材と、前記基板被包部材を封印状態に保持するための封印部材とを備えた遊技機において、少なくとも正規の手法とは異なる所定の手法で前記封印部材が操作されて封印状態にあった前記基板被包部材が開封された場合に、第１の状態から第２の状態へと状態変化する状態変化手段を設けたことを特徴とする遊技機。
【００１５】
手段３によれば、回路基板は基板被包部材により被包され、該基板被包部材が封印部材にて封印状態に保持される。さて、かかる遊技機において、少なくとも正規の手法とは異なる所定の手法で封印部材が操作されて封印状態にあった基板被包部材が開封された場合に、第１の状態にあった状態変化手段が第２の状態へと状態変化する。このため、第２の状態へと変化した状態変化手段に基づいて容易に不正が発見される。従って、基板被包部材に被包された回路基板を操作等することにより遊技内容を変更するといった不正行為を間接的に防止することが可能となる。
【００１６】
４．前記基板被包部材は、第１被包部材と第２被包部材から構成され、各被包部材を連結することにより前記回路基板を被包可能となっており、かつ、前記封印部材は、前記第１被包部材に設けられた第１封印部材と、前記基板被包部材を封印するに際して前記第１封印部材と対向するように前記第２被包部材に設けられた第２封印部材と、前記各封印部材を連結保持可能とする連結保持部材とを備えていることを特徴とする手段３に記載の遊技機。
【００１７】
手段４によれば、各封印部材を連結保持部材により連結するだけで、回路基板を封印することができる。このため、封印作業効率の向上を図ることができる。また、連結保持部材により各封印部材の連結状態を維持することが可能となる。
【００１８】
５．前記連結保持部材は、前記第１封印部材及び第２封印部材の少なくとも一部に係止される係止部を有し、前記係止部が前記封印部材に係止されることにより、前記封印部材を連結保持することを特徴とする手段４に記載の遊技機。
【００１９】
手段５によれば、連結保持部材の係止部が係止された状態で、封印部材は連結状態となっている。従って、これを非連結状態にするためには、所定の作業によって前記係止部を操作し係止状態を解除しなければならない。このため、前記係止部を操作不能、或いは操作困難な状態に設定することで、不正に非連結状態とすることの抑制が図られる。
【００２０】
６．前記連結保持部材は、所定の方向に回転操作されることにより螺合が許容され前記第１封印部材及び第２封印部材間を締結し、反対方向に回転操作された場合には前記締結が解除されないよう構成された特殊ねじ機構を含んでいることを特徴とする手段４に記載の遊技機。
【００２１】
手段６によれば、連結保持部材の特殊ねじ機構は、所定の方向に回転操作されることにより螺合が許容され第１封印部材及び第２封印部材間を締結する。また、反対方向に回転操作されたとしても締結が解除されない。このため、非連結状態とすることの抑制が図られる。
【００２２】
７．前記封印部材の少なくとも一部を被覆し、前記連結保持部材の外部操作を行いにくくする被覆部材を設けたことを特徴とする手段３乃至６のいずれかに記載の遊技機。
【００２３】
手段７によれば、前記封印部材の少なくとも一部が被覆部材で被覆され、これにより連結保持部材の外部操作が行われにくくなるため、さらに、不正に非連結状態とすることの一層の抑制が図られる。
【００２４】
８．前記状態変化手段は、前記封印部材に設けられていることを特徴とする手段３乃至７のいずれかに記載の遊技機。
【００２５】
手段８によれば、状態変化手段が封印部材に設けられているため、前記封印部材が少なくとも正規の手法とは異なる所定の手法で操作された場合には、確実に状態変化を期待することができる。
【００２６】
９．前記状態変化手段は、前記第１封印部材及び第２封印部材の少なくとも一方に設けられていることを特徴とする手段４乃至７のいずれかに記載の遊技機。
【００２７】
手段９によれば、状態変化手段が第１封印部材及び第２封印部材の少なくとも一方に設けられているため、第１封印部材或いは第２封印部材が少なくとも正規の手法とは異なる所定の手法で操作された場合には、確実に状態変化を期待することができる。なお、状態変化手段が第１封印部材のみに設けられた場合には第１封印部材が所定の手法で操作された場合に確実に状態変化が期待でき、状態変化手段が第２封印部材のみに設けられた場合には第２封印部材が所定の手法で操作された場合に確実に状態変化が期待でき、さらに、状態変化手段が第１及び第２封印部材に設けられた場合には第１又は第２封印部材が所定の手法で操作された場合に確実に状態変化が期待できる。
【００２８】
１０．前記第１封印部材及び第２封印部材は、相互に当接される当接面を有しており、該当接面の少なくとも一方に開口形成された収容部内に前記状態変化手段を設けたことを特徴とする手段９に記載の遊技機。
【００２９】
手段１０によれば、収容部内に状態変化手段が設けられることで、相互に当接し合う第１封印部材及び第２封印部材によって状態変化手段を略封入状態に維持することができる。このため、別途第１封印部材や第２封印部材止の形成時に状態変化手段をインサート成形等を行ったりする必要がなくなる。
【００３０】
１１．前記封印部材は、封印状態の解除が１回行われることでその役割が終了し、かつ、別の封印部材に関して再度の封印状態への設定が可能なよう構成されていることを特徴とする手段３乃至１０のいずれかに記載の遊技機。
【００３１】
手段１１によれば、各封印部材は、封印状態の解除が１回行われることでその役割が終了し、かつ、別の封印部材に関して再度の封印状態への設定が可能となる。このため、封印状態の解除、内部確認、及び再度の封印状態への設定が可能となる。
【００３２】
１２．前記状態変化手段は、封印状態の解除が行われ、第２の状態となる度に、異なる外観を呈するよう構成されていることを特徴とする手段１１に記載の遊技機。
【００３３】
手段１２によれば、状態変化手段は、封印状態の解除が行われて第２の状態となる度に異なる外観を呈するため、何回目の封印解除が行われたのかを容易に把握することが可能となる。また、いずれの封印部材に関して解除操作が行われたのかを把握できる。このため、一旦正規の手法に基づいて基板被包部材が開封された場合であっても、別の封印部材が操作されたことを容易かつ確実に把握することが可能となる。
【００３４】
１３．前記異なる外観は色調の相違を含んでいることを特徴とする手段１２に記載の遊技機。
【００３５】
手段１３によれば、第２の状態となった状態変化手段の色調の相違でもっていずれの封印部材に関して解除操作が行われたのかを把握できる。このため、手段１２の作用がより確実に奏される。
【００３６】
１４．前記状態変化手段は、前記基板被包部材に設けられていることを特徴とする手段１乃至１３のいずれかに記載の遊技機。
【００３７】
手段１４によれば、状態変化手段が基板被包部材に設けられているため、実際に基板被包部材が不正に開封された場合に、それを容易に発見することが可能となる。
【００３８】
１５．前記状態変化手段が第１の状態にあるとき、周囲の壁部で完全に覆われた完封状態にて維持されるよう構成したことを特徴とする手段１乃至１４のいずれかに記載の遊技機。
【００３９】
手段１５によれば、状態変化手段が第１の状態にあるときには、周囲の壁部で完全に覆われた完封状態にて維持される。すなわち、状態変化手段が別途開口部から漏出する等して第１の状態が損なわれてしまうおそれがない。そのため、基板被包部材が開封されること以外で第１の状態が損なわれてしまうことがなく、不正発見をより確実に行うことが可能となる。
【００４０】
１６．前記状態変化手段は、所定の液状物により構成されており、前記完封状態が解除されて液状物が漏出することで第１の状態から第２の状態へと状態が変化するよう構成したことを特徴とする手段１５に記載の遊技機。
【００４１】
手段１６によれば、完封状態が解除されて液状物が漏出することで第１の状態から第２の状態へと状態が変化する。このため、液状物が漏出した痕跡が残ること、また、液状物が第１の状態にあった部位において、液状物が減っていること、或いは無くなっていることに基づいて、容易に第２の状態になったことを把握することが可能となる。
【００４２】
１７．前記液状物は、溶媒と、前記溶媒中に溶解又は分散された物質とによって構成されており、前記溶媒は、速乾性の素材により構成されていることを特徴とする手段１６に記載の遊技機。特に、上記液状物の代表例としては、塗料を挙げることができる。塗料としては、ニトロセルロースラッカー等のセルロース系塗料、アルキド樹脂エナメル、アミノアルキド樹脂エナメル、熱硬化性アクリル樹脂エナメル、アクリルラッカー、エポキシ樹脂塗料、フェノール樹脂塗料、塩化ビニル樹脂塗料、塩化ゴム塗料、不飽和ポリエステル樹脂ワニス、ポリウレタン樹脂塗料等の合成樹脂塗料、酢酸ビニルラテックスペイント等の水性塗料等が挙げられる。
【００４３】
手段１７によれば、液状物が漏出した場合、空気に触れることで、溶媒が速やかに蒸発し、それまで溶解又は分散されていた物質が残存することとなる。このため、当該物質に基づき容易に第２の状態になったことを把握することができる。特に、前記物質が高分子材料により構成されている場合等、漏出し溶媒が乾燥したときに、相手部材に対し物理吸着或いは化学吸着等の付着を起こすようなものである場合には、残存物質を除去することが困難になることから、証拠として残存させておくことが容易となる。
【００４４】
１８．前記液状物が漏出した場合に、該液状物の回路基板側への流出を防止する流出防止手段を設けたことを特徴とする手段１６又は１７に記載の遊技機。
【００４５】
手段１８によれば、流出防止手段によって液状物が回路基板側へ流出するのが防止され、断線、ショート、誤作動、動作不良等の不具合が起こるのを防止することができる。
【００４６】
１９．前記液状物が漏出した場合に、該液状物の前記基板被包部材から外部への流出を防止する流出防止手段を設けたことを特徴とする手段１６乃至１８のいずれかに記載の遊技機。
【００４７】
手段１９によれば、流出防止手段によって液状物が基板被包部材から外部へ流出するのが防止され、外観不良や、液状物が他の部材へ悪影響を及ぼしたりするのを防止することができる。
【００４８】
２０．前記状態変化手段は、所定の固体物質により構成されていることを特徴とする手段１５に記載の遊技機。固体物質としては紛状物や粒状物、或いは、完封状態が解除されたときに体積変化を起こすようなもの等、外観上、第２の状態となることが明らかとなるようなものが好ましい。なお、粉体物の例として、粉体塗料を挙げることができ、その具体例としてエポキシ系、アクリル系、ポリエステル系の粉体塗料が挙げられる。
【００４９】
手段２０によれば、第１の状態から第２の状態へと状態が変化する際、完封状態が解除されて所定の固体物質が漏出、露出、落下或いは膨出したりする。このため、容易に第２の状態となったことを把握することができる。
【００５０】
２１．前記状態変化手段は、透明又は半透明であることを特徴とする手段１５乃至２０のいずれかに記載の遊技機。
【００５１】
手段２１によれば、状態変化手段が第２の状態になったことを不正行為者が気付きにくい場合があり、証拠として状態変化手段が比較的残存しやすくなるため、不正行為を容易に発見することができる。
【００５２】
２２．前記状態変化手段は、前記封印部材又は前記基板被包部材と同系色を有していることを特徴とする手段１５乃至２１のいずれかに記載の遊技機。
【００５３】
手段２２によれば、状態変化手段が第２の状態になったときに封印部材又は基板被包部材に色調的に一体化して、第２の状態になったことを不正行為者が気付きにくい場合がある。従って、証拠として状態変化手段が比較的残存しやすくなるため、不正行為を容易に発見することができる。
【００５４】
２３．前記状態変化手段は、カプセル壁に封入されていることを特徴とする手段１乃至２２のいずれかに記載の遊技機。
【００５５】
手段２３によれば、状態変化手段の設置が容易に行われる。
【００５６】
２４．回路基板を被包するための基板被包部材と、前記基板被包部材を封印状態に保持するための封印部材とを備え、基板被包部材及び封印部材の少なくとも一方には前記封印状態にあっては被覆手段で完全に被覆された状態にて収容されてなる収容物が設けられている遊技機において、前記基板被包部材が開封される際に、前記被覆手段の被覆が解除されて前記収容物の収容状態が解除された場合に、該収容物が所定の痕跡を残すよう構成したことを特徴とする遊技機。中でも、「前記収容物は塗料等の液状体を含んでいること」とするのが望ましい。なお、被覆手段としてはカプセル壁であってもよいし、所定肉厚を有する周囲の壁部であってもよい。
【００５７】
手段２４によれば、回路基板は基板被包部材により被包され、該基板被包部材が封印部材にて封印状態に保持される。かかる遊技機において、基板被包部材及び封印部材の少なくとも一方に設けられた収容物は、前記封印状態にあっては被覆手段で完全に被覆された状態にて収容される。また、収容物は、被覆手段の被覆が解除されて前記収容物の収容状態が解除された場合に所定の痕跡を残す。このため、不正行為者が不正に基板被包部材を開封した場合に、残された収容物の痕跡に基づいて、不正行為を発見することができる。従って、基板被包部材に被包された回路基板を操作等することにより遊技内容を変更するといった不正行為を間接的に防止することが可能となる。
【００５８】
２５．前記基板被包部材は、第１被包部材と第２被包部材から構成され、各被包部材を連結することにより前記回路基板を被包可能となっており、かつ、前記封印部材は、前記第１被包部材に設けられた第１封印部材と、前記基板被包部材を封印するに際して前記第１封印部材と対向するように前記第２被包部材に設けられた第２封印部材と、前記各封印部材を連結保持可能とする連結保持部材とを備えていることを特徴とする手段２４に記載の遊技機。
【００５９】
手段２５によれば、各封印部材を連結保持部材により連結するだけで、回路基板を基板被包部材に封印できる。このため、封印作業効率の向上を図ることができる。また、連結保持部材により第１及び第２封印部材の連結状態を維持することが可能となる。
【００６０】
２６．前記収容物は、前記第１被包部材及び第２被包部材の少なくとも一方に設けられていることを特徴とする手段２５に記載の遊技機。
【００６１】
手段２６によれば、収容物を収容するための機構を別途他の部材等を用いて設ける必要がない。
【００６２】
２７．前記収容物は、前記第１封印部材及び第２封印部材の少なくとも一方に設けられていることを特徴とする手段２５又は２６に記載の遊技機。
【００６３】
手段２７によれば、収容物が第１封印部材及び第２封印部材の少なくとも一方に設けられているため、第１封印部材或いは第２封印部材が破断等されることにより収容物の収容状態が解除された場合に、より確実に所定の痕跡が残ることを期待することができる。なお、収容物が第１封印部材のみに設けられた場合には第１封印部材が破断等された場合に痕跡の残存を期待でき、収容物が第２封印部材のみに設けられた場合には第２封印部材が破断等された場合に痕跡の残存を期待でき、さらに、状態変化手段が第１及び第２封印部材に設けられた場合には第１又は第２封印部材が破断等された場合に痕跡の残存を期待できる。
【００６４】
２８．前記痕跡は、収容状態が解除された収容物の硬化又は付着に基づく痕跡であることを特徴とする手段２４乃至２７のいずれかに記載の遊技機。
【００６５】
手段２８によれば、収容物の硬化又は付着に基づく痕跡が残されるため、不正行為者が痕跡に気づいた場合でもそれを取り除くのが困難となる。そのため、不正行為の発見がより容易に行われる。
【００６６】
２９．回路基板を被包するべく第１被包部材及び第２被包部材よりなる基板被包部材と、前記第１被包部材に設けられた第１封印部材及び前記第２被包部材に設けられた第２封印部材よりなる封印部材とを備え、前記第１被包部材及び第２被包部材が当接した状態で前記封印部材が封印状態となるよう維持可能な遊技機であって、前記第１封印部材及び第２封印部材は、それぞれ主たる封印の施される主封印部材と、該主封印部材及び前記基板被包部材間を連結する連結部材とを備えていて、少なくとも前記連結部材内には、常には完全に封入され、かつ、前記連結部材が切断された場合に漏出する物質を配設したことを特徴とする遊技機。
【００６７】
手段２９によれば、第１被包部材及び第２被包部材よりなる基板被包部材により回路基板が被包される。また、第１被包部材及び第２被包部材は相互に当接した状態で、第１被包部材に設けられた第１封印部材及び第２被包部材に設けられた第２封印部材よりなる封印部材が封印状態に維持される。さて、前記第１封印部材及び第２封印部材は、それぞれ主たる封印の施される主封印部材と、該主封印部材及び前記基板被包部材間を連結する連結部材とを備えていて、少なくとも前記連結部材内に設けられた物質が、常には完全に封入されているが、連結部材が切断された場合に漏出する。このため、不正行為者が連結部材を切断した場合に、その痕跡が残ることとなり、不正が容易に発見できる。
【００６８】
なお、前記物質は塗料等の液状物であることが望ましい。また、所定の着色が施されていてもよいし、透明性を有していてもよい。主封印部材が複数設けられている場合には、個々に色彩が異なることとしてもよい。
【００６９】
３０．前記連結部材は、前記主封印部材よりも括れた状態で設けられていることを特徴とする手段２９に記載の遊技機。
【００７０】
手段３０によれば、不正行為者は連結部材の断面積が狭いことに着目することから、結果的には連結部材が切断されやすいものとなる。そのため、より一層不正行為を発見しやすい。
【００７１】
３１．前記物質は、前記連結部材のいずれを切断しても漏出するよう配設されていることを特徴とする手段２９又は３０に記載の遊技機。
【００７２】
手段３１によれば、不正行為者が連結部材のいずれを切断しても物質が漏出するため、その痕跡を残させることが可能となる。
【００７３】
３２．前記物質は、前記連結部材と主封印部材との境界部分又は前記連結部材と前記基板被包部材側との境界部分を切断しても漏出するよう配設されていることを特徴とする手段２９乃至３１のいずれかに記載の遊技機。
【００７４】
手段３２によれば、不正行為者は、切断後に比較的接合が容易に行いうる境界部分を切断しようとする場合があるが、該境界部分を切断しても物質が漏出するため、その痕跡を残させることが可能となる。
【００７５】
３３．回路基板を被包するべく第１被包部材及び第２被包部材よりなる基板被包部材を備え、前記第１被包部材及び第２被包部材が当接した状態で維持可能な遊技機であって、前記第１封印部材及び第２被包部材には前記当接が解除された場合に漏出する物質を配設したことを特徴とする遊技機。
【００７６】
手段３３によれば、第１被包部材及び第２被包部材よりなる基板被包部材により回路基板が被包される。また、第１被包部材及び第２被包部材は相互に当接した状態で維持される。さて、前記第１封印部材及び第２封印部材の当接状態が解除された場合には、物質が漏出する。このため、不正行為者が不正に基板被包部材を開けようとしたときに、その痕跡が残ることとなり、不正が容易に発見できる。
【００７７】
なお、前記物質は塗料等の液状物であることが望ましい。また、所定の着色が施されていてもよいし、透明性を有していてもよい。
【００７８】
３４．前記物質は、カプセル壁内に封入されており、該物質の封入されたカプセル壁が前記第１被包部材及び第２被包部材間を連結するように設けられていることを特徴とする手段３３に記載の遊技機。
【００７９】
手段３４によれば、物質の設置作業を容易に行うことができる。また、第１封印部材及び第２封印部材の当接状態が解除された場合には、カプセル壁が破られ、物質が漏出しうる。
【００８０】
３５．前記第１被包部材及び第２被包部材には、それぞれ前記物質の封入されたカプセル壁を収容可能な収容部が設けられており、各収容部及びカプセル壁間には接着手段が介在されていることを特徴とする手段３４に記載の遊技機。
【００８１】
手段３５によれば、接着手段の接着作用により、第１被包部材及び第２被包部材の当接が解除された場合にカプセル壁が各収容部側に残ろうとして応力を受けやすい。このため、より確実に破断を期待することが可能となる。
【００８２】
３６．前記第１被包部材及び第２被包部材には、前記物質が漏出した場合に該物質が前記回路基板側へ案内されるのを防止する流出防止手段を設けたことを特徴とする手段３３乃至３５のいずれかに記載の遊技機。
【００８３】
３７．手段１乃至３６のいずれかにおいて、遊技機はパチンコ機であること。中でも、パチンコ機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置において変動表示されている識別情報が所定時間後に確定停止されることが挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。
【００８４】
３８．手段３７において、前記基板被包部材は、前記パチンコ機の少なくとも背面側に設けられていることを特徴とする遊技機。
【００８５】
３９．手段１乃至３６のいずれかにおいて、遊技機はスロットマシンであること。中でも、スロットマシンの基本構成としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備えた遊技機」となる。この場合、遊技媒体はコイン、メダル等が代表例として挙げられる。
【００８６】
４０．手段３９において、前記基板被包部材は、少なくとも前記スロットマシン内部に設けられていることを特徴とする遊技機。
【００８７】
４１．手段１乃至３６のいずれかにおいて、遊技機はパチンコ機とスロットマシンとを融合させた遊技機であること。中でも、前記融合させた遊技機の基本構成としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。
【００８８】
４２．手段４１において、前記基板被包部材は、前記パチンコ機とスロットマシンとを融合させた遊技機の少なくとも背面側に設けられていることを特徴とする遊技機。
【発明の効果】
【００８９】
本発明によれば、回路基板を被包するための基板被包部材を備えた遊技機において、被包部材を不正に開封するといった不正行為を抑制することができ、万一、かかる不正行為が行われた場合であっても、その不正行為を早期に発見することができるという優れた効果が奏される。
【図面の簡単な説明】
【００９０】
【図１】一実施の形態における封印ユニットを有する基板ボックスの配設されたパチンコ機の背面図である。
【図２】封印ユニットが配設された基板ボックスが開封された状態を示す斜視図である。
【図３】封印ユニットを構成する各部材の分解斜視図である。
【図４】保持部に封印金具が保持されている状態における封印ユニットの部分断面図である。
【図５】基板ボックスを封印した状態における封印ユニットの部分断面図である。
【図６】基板ボックスの分解斜視図である。
【図７】基板管理番号シールの平面図である。
【図８】別の実施の形態において基板ボックスを封印した状態における封印ユニットの部分断面図である。
【図９】別の実施の形態における基板ボックス等を示す部分断面図である。
【図１０】別の実施の形態における基板ボックス等を示す部分断面図である。
【発明を実施するための形態】
【００９１】
以下、一実施の形態について、添付図面を参照して説明する。図１は、遊技機用基板ボックス封印ユニットの一実施例である封印ユニット１を有する基板被包部材としての基板ボックス（遊技機用基板ボックス）４０の配設されたパチンコ機５０の背面図である。前記パチンコ機５０の正面側には、発射装置により遊技領域へ発射されたパチンコ球を不特定箇所に誘導する複数本のクギや、クギによって誘導されてきたパチンコ球が入賞する複数個の入賞口又は作動口や、特定の遊技状態において比較的多数のパチンコ球を同時に入賞させることができる大入賞口や、各種遊技状態を遊技者に示唆する様々な表示を可能とする表示部等の各種遊技機器が配設されている。図２は、封印ユニット１の配設された基板ボックス４０が開封された状態を示す斜視図であり、図３は、封印ユニット１を構成する各部材の分解斜視図であり、図４は、主封印部材２１，３１により形成された保持部Ｈに封印金具１１が保持されている状態を示した封印ユニット１の部分断面図であり、図５は、基板ボックス４０を封印した状態における封印ユニット１の部分断面図であり、図６は、基板ボックス４０の分解斜視図であり、図７は、基板ボックス４０に貼付する基板管理番号シール６１の平面図である。
【００９２】
図１および図２を参照して、封印部材としての封印ユニット１が配設される基板ボックス４０について説明する。まず、図１に示すように、基板ボックス４０は、例えば遊技機の一種であるパチンコ機５０の裏側に設けられた入賞球集合カバー５１に取り付けられている。基板ボックス４０は、パチンコ機５０の正面側に露出しないように配設されていればよく、入賞球集合カバー５１以外の箇所、例えば、遊技盤裏面、機構盤、前面枠等の枠体、又は専用の支持部材等に取付けられてもよい。基板ボックス４０は、パチンコ機５０の遊技制御の中枢を担う制御手段としてのＣＰＵ、そのＣＰＵの制御下において所定の遊技内容を実現するための制御情報を記憶した制御用ＲＯＭ、時々刻々変化する遊技状況に関する情報が逐次記憶されるＲＡＭ等の電子部品を含む制御回路基板（図示せず）を被包するためのものである。
【００９３】
基板ボックス４０は、複数のボックス体の組合せによって箱状に構成し得るが、本実施の形態では一対のボックス体からなる例として、第１被包部材としてのボックス本体（ボックスベース）４１と、そのボックス本体４１に覆設される第２被包部材としてのボックス蓋体（ボックスカバー）４２とを備えている場合について説明する（図２参照）。
【００９４】
図２に示すように、ボックス本体４１は、金属材料からなる箱状体に形成されており、その上方はボックス本体４１内に制御回路基板を配設するために開放されている。また、ボックス本体４１の側壁４１ａには、後述する封印ユニット１を構成するユニット部材２０が取り付けられている。さらに、ボックス本体４１の内側壁には薄板状のガイド板４３が設けられており、ボックス本体４１にボックス蓋体４２を被せる場合、ボックス蓋体４２の位置ズレを防止して、容易に被せることができるようになっている。
【００９５】
一方、ボックス蓋体４２は、ボックス本体４１と同様に、金属製の中空箱状体に形成されており、その側壁４２ａには封印ユニット１を構成するユニット部材３０が取り付けられている。ボックス蓋体４２の上部壁面には、透明な合成樹脂から構成された覗き窓４２ｄが設けられており、基板ボックス４０内の制御回路基板上に設けられた制御用ＲＯＭ、ＣＰＵ等の型番号を容易に確認することができるようになっている。このため、制御用ＲＯＭを交換してパチンコ機５０の遊技内容を変更する不正行為が行われた場合、これを容易に発見することができるようになっている。
【００９６】
また、ボックス蓋体４２の上面には、基板ボックス４０内に配設された制御回路基板を管理するための基板管理番号シール６１が貼付される。図７に示すように、未使用の基板管理番号シール６１は、当初台紙６２に複数枚貼付されており、該基板管理番号シール６１が台紙６２から１枚ずつ剥がされボックス蓋体４２に貼付けられる。この基板番号管理シール６１は、特殊シールで構成されており、その表面には、基板管理番号６１ａと、製造業者コード６１ｂと、枠部６１ｃと、検査履歴６１ｄとが表示されている。基板管理番号６１ａは、基板ボックス４０に被包される制御回路基板のシリアル番号である。また、制御回路基板の製造業者は、枠部６１ｃの色彩と製造業者コード６１ｂとにより特定される。さらに、この基板管理番号シール６１は、制御回路基板の検査履歴書でもあり、検査履歴６１ｄには、検査毎に「１」から「３」の欄に検査年月日（開封年月日）、検査者名（開封者名）および検査印等が記録される。
【００９７】
尚、基板管理番号シール６１を構成する特殊シールは、剥がされると破損してしまったり、痕跡が残る性質を有しているものであって、もしも基板管理番号シール６１が不正に剥がされた場合には、かかる不正行為を容易に発見することができるようになっている。
【００９８】
さて、図１に示すように、封印ユニット１は基板ボックス４０の２箇所にそれぞれ配設されている。ここでは、封印ユニット１は基板ボックス４０の相対向する側面に設けられており、特に基板ボックス４０が直方体形状である場合には短辺側の側面に設けられる。
【００９９】
次に、図３および図４を参照して、前記封印ユニット１を構成する各部材について説明する。図３に示すように、封印ユニット１は、基板ボックス４０を封印するための連結保持部材としての封印金具１１と、その封印金具１１が係止される第１封印部材としてのユニット部材２０と、そのユニット部材２０に対向してボックス蓋体４２に配設され封印金具１１が係合される第２封印部材としてのユニット部材３０とを備えている。
【０１００】
封印金具１１は、ユニット部材２０，３０における各主封印部材２１，３１を連結するためのものであり、ステンレス鋼材等の金属材料で構成されており、正面視略Ｔ字形の略板状体に形成されている。この封印金具１１は、主封印部材２１に挿設される板部１１ａと、その板部１１ａに一体形成されるとともに後述する主封印部材３１に係合される頭部１１ｂとを備えている。より詳しくは、板部１１ａは長方形状の板体となっており、頭部１１ｂは板部１１ａの短辺一端側に一体にかつ当該短辺よりも幅広に形成されている。そして、頭部１１ｂは板部１１ａの短辺に沿って延びる筒体となるように巻回されている。
【０１０１】
板部１１ａの中間位置は、反頭部１１ｂ側を残すようにしてチャンネル状（コ字状）に切欠かれている。この切欠きは横並びに一対施されている。これらの切欠きによって、頭部１１ｂ側を自由端、反頭部１１ｂ側を固定端とした板片が板部１１ａに一体形成されている。これら板片の自由端側を互いに相反する方向へ折り曲げることによって、板部１１ａの表裏側にそれぞれ係止爪１１ｃが形成されている。両係止爪１１ｃの具体的な折り曲げ形状は、特に図４から明らかなように、固定端を基準として板部１１ａから徐々に遠ざかりながら頭部１１ｂ側へ傾斜し、傾斜部分Ｔの先端から自由端側までは板部１１ａと略平行となる形状である。
【０１０２】
両係止爪１１ｃは、封印金具１１の板部１１ａが主封印部材３１の挿入孔３１ｂへ挿入され押し込まれた場合、傾斜部分Ｔを介して板部１１ａ側へと徐々に弾性変形するとともに、封印金具１１の先端部が主封印部材２１の挿入孔２１ｂ内へ挿入される。封印金具１１を更に挿し込み続けると、両係止爪１１ｃは、弾性的に復元して主封印部材３１の嵌合穴３１ｃ内に係止され、主封印部材２１の嵌合部２１ａと主封印部材３１の嵌合穴３１ｃとにより形成された保持部Ｈに収納される（図４参照）。一方、封印金具１１の頭部１１ｂは、主封印部材３１の係合穴３１ａの側壁面に当接するとともに、係合穴３１ａ内に保持されている。その結果、封印金具１１を主封印部材３１内に取り外し不可能な状態で保持することができる。
【０１０３】
更に、保持部Ｈに両係止爪１１ｃが保持された封印金具１１を押し込むと、両係止爪１１ｃは、板部１１ａ側へ徐々に弾性変形し、主封印部材２１の挿入孔２１ｂ内へ挿入され、その後、弾性的に復元して主封印部材２１の係止孔２１ｃ内に係止される。よって、主封印部材２１，３１は封印金具１１により取り外し不可能な状態で連結される（図５参照）。また、封印金具１１は、それを取り外そうとした際に両係止爪１１ｃの自由端部が同等に係止孔２１ｃ内上側面に当接するように形成されている。
【０１０４】
板部１１ａの先端には、略半球状の凸部１１ｄが設けられている。その結果、封印金具１１の先端部分の曲げ剛性が強化されるとともに、封印金具１１の先端部が凸部１１ｄにより案内され、封印金具１１の板部１１ａの先端部分を後述する主封印部材２１，３１の挿入孔２１ｂ，３１ｂに容易に挿入することができる。また、封印金具１１の頭部１１ｂは、主封印部材３１の係合穴３１ａの側壁面に当接するとともに、係合穴３１ａ内に保持されている。その結果、封印金具１１を主封印部材３１内に取り外し不可能な状態で保持することができる。
【０１０５】
なお、前記頭部１１ｂの外径は、主封印部材３１の係合穴３１ａの幅と比較して略等しく形成されており、係合穴３１ａに係合可能となっている。よって、封印金具１１の両係止爪１１ｃが係止孔２１ｃ内に係止され、その頭部１１ｂが主封印部材３１の係合穴３１ａに係合された場合、主封印部材２１，３１は封印金具１１により取り外し不可能な状態で連結される。その結果、基板ボックス４０は開封不可能な状態にて封印される。
【０１０６】
ユニット部材２０は、基板ボックス４０のボックス本体４１に配設され基板ボックス４０を封印するためのものであり、ポリカーボネート樹脂等の耐衝撃性を有する合成樹脂材料で形成されている。このユニット部材２０は、封印金具１１が挿設される複数の主封印部材２１と、ユニット部材２０をボックス本体４１に取り付けるための取付部材２２と、各主封印部材２１と取付部材２２とを互いに連結するための連結部材２３と、各主封印部材２１のそれぞれを互いに連結する複数の連結部材２４と、各主封印部材２１の側面及び底面を覆い隠す被覆部材２５（図２参照）とを備えている。尚、各主封印部材２１はそれぞれ略同一に構成されているので、以下、同一の部分には同一の番号を付してその説明は省略する。また、図３においては、各ユニット部材２０，３０の構成をわかりやすく説明するため、便宜上、前記被覆部材２５を省略している。
【０１０７】
図４に示すように、主封印部材２１は略円柱状に形成されており、その一部には連結部材２３が固着され取付部材２２に連結されている。この主封印部材２１は、略等間隔で取付部材２２に計４個連結されており、各主封印部材２１の上端部分には、嵌合部２１ａが設けられている。嵌合部２１ａは、略円柱状に形成されており、その上側部分の外径は下側部分の外径と比較して小さくなるようにテーパ加工が施されている。よって、嵌合部２１ａを後述する主封印部材３１の嵌合穴３１ｃに容易に挿入して嵌合させることができる。嵌合部２１ａの上面には、長穴状の挿入孔２１ｂが凹設されており、封印金具１１の板部１１ａが挿入可能に形成されている。この挿入孔２１ｂの開口部分には面取り部Ｃが形成されており、この面取り部Ｃにより封印金具１１の板部１１ａおよび両係止爪１１ｃが容易に挿入される。
【０１０８】
嵌合部２１ａの壁面の一部から対向する壁面に向かって貫通するように、略矩形状の係止孔２１ｃが設けられており（図３参照）、この係止孔２１ｃは挿入孔２１ｂと連通している（図４参照）。よって、挿入孔２１ｂから封印金具１１を挿入すると、封印金具１１の両係止爪１１ｃが主封印部材２１の係止孔２１ｃにより係止され、封印金具１１の抜き取り行為が防止される。また、嵌合部２１ａの外周には、嵌合溝２１ｄが凹設されており、主封印部材３１のスカート部３１ｄが嵌合可能となっている。この嵌合溝２１ｄの開口部分の断面積は底部分の断面積と比較して大きくなるようにテーパ加工が施されており、スカート部３１ｄを容易に嵌合させることができる。また、嵌合溝２１ｄにスカート部３１ｄを嵌合させることにより、主封印部材２１，３１の位置ズレが防止され、主封印部材２１と主封印部材３１とを確実に合致させることができる。
【０１０９】
取付部材２２は、封印ユニット１のユニット部材２０をボックス本体４１に取り付けるためのものであり、対向して配設された一対の板状体２２ａ，２２ｂと、その一対の板状体２２ａ，２２ｂを互いに連結する複数の連結部材２２ｃと、板状体２２ｂに配設された補強部材２２ｄとを備えている。各板状体２２ａ，２２ｂは複数の連結部材２２ｃにより連結されており、この複数の連結部材２２ｃは計４箇所に配設されている。この各連結部材２２ｃは、板状体２２ａの長手方向に略等間隔で配設された複数の連結部材２３に対応して配設されている。
【０１１０】
よって、取付部材２２のうち、連結部材２３が固着されている部分の厚みは大きく形成され、その強度は強化されている。従って、基板ボックス４０の内部を確認するために連結部材２３を切断して主封印部材２１を除去する場合、取付部材２２の板状体２２ａ，２２ｂに損傷を与えることなく連結部材２３を切断することができるようになっている。また、取付部材２２における一対の板状体２２ａ，２２ｂの間には所定幅の間隙Ｗ１が形成されており、この一対の板状体２２ａ，２２ｂの間に形成された間隙Ｗ１は、ボックス本体４１の側壁４１ａの板厚より大きく形成されている。
【０１１１】
図６に示すように、ボックス本体４１の側壁４１ａには、取付部材２２の各連結部材２２ｃに対応した略矩形状の係合溝４１ｂが略等間隔で計４箇所に形成されている。この各係合溝４１ｂには、各連結部材２２ｃをそれぞれ係合させることができる。かかる係合により、ボックス本体４１の側壁４１ａはユニット部材２０の取付部材２２における板状体２２ａ，２２ｂの間に挟み込まれ、図２に示すように、ユニット部材２０がボックス本体４１に取り付けられる。その結果、板状体２２ａ，２２ｂの間に挟み込まれた側壁４１ａ部分の剛性を向上させることができるとともに、ボックス本体４１の側壁４１ａに取り付けられたユニット部材２０を外れ難くすることができる。
【０１１２】
また、取付部材２２の長手方向の両端部分には一対の取付孔２２ｅが板状体２２ａ，２２ｂのそれぞれを貫通して穿設されている（図３および図４参照）。ボックス本体４１の側壁４１ａには、これら一対の取付孔２２ｅに対応して、一対の係合穴４１ｃが穿設されている（図６参照）。よって、ユニット部材２０の板状体２２ａ，２２ｂの間にボックス本体４１の側壁４１ａを挟み込みつつ、ユニット部材２０の取付部材２２をボックス本体４１の側壁４１ａに「かしめ」またはネジ止めにより固定することができる（図２および図３参照）。
【０１１３】
図４に示すように、取付部材２２の板状体２２ｂには、略矩形状の係止穴２２ｆが穿設されている。この係止穴２２ｆには、ボックス本体４１の側壁４１ａ内側面に突設された係止爪４１ｅが係止されており、ユニット部材２０をボックス本体４１の側壁４１ａに「仮止め」することができる。よって、かかる「仮止め」によって前記「かしめ」またはネジ止めによるユニット部材２０の固定作業を容易に行うことができる。
【０１１４】
補強部材２２ｄは、封印ユニット１が配設された基板ボックス４０の強度を補強するためのものであり、取付部材２２の板状体２２ｂにおける上部側面に一体に形成されている（図４の右部参照）。この補強部材２２ｄは、後述するユニット部材３０に形成された嵌合穴３２ｄに嵌合可能となっており（図３参照）、かかる嵌合穴３２ｄに嵌合することにより、ユニット部材２０，３０を互いに位置決めしつつ、封印ユニット１の配設された基板ボックス４０の強度を補強することができるようになっている。
【０１１５】
図３に示すように、連結部材２３は、各主封印部材２１と取付部材２２とをそれぞれ連結するためのものである。この連結部材２３は、取付部材２２の板状体２２ａの一側面に略等間隔で計４個配設されており、各連結部材２３には主封印部材２１がそれぞれ固着されている。よって、計４個の各主封印部材２１が略等間隔で隣接して取付部材２２と連結され、ユニット部材２０が一体に形成されている。また、各主封印部材２１は、連結部材２４により互いに連結されて、一体に形成されている。また、主封印部材２１と取付部材２２との間には、連結部材２３を切断するために、ニッパ等の工具の刃先が入り込むための間隔が形成される。すなわち、基板ボックス４０の内部を確認する際には、ニッパ等の工具が用いられることにより連結部材２３が容易に切断され、これにより主封印部材２１が除去されるようになっている。
【０１１６】
連結部材２４は、隣り合う各主封印部材２１を連結して、ユニット部材２０の強度を補強するためのものであり、略薄板状に形成されている。この各連結部材２４の一方には、切り欠き２４ａが設けられており、かかる部分の剛性を低下させてある。よって、ニッパ等の工具を用いて１つの連結部材２４を切断する場合、切り欠き２４ａ部分を切断することにより、容易に連結部材２４を切断することができる。また、切り欠き２４ａは、連結部材２４のうち、先に使用される主封印部材２１側（図３では右側）の端部分に設けられているので、連結部材２４を切断する場合、未使用の主封印部材２１の損傷を防止することができるようになっている。
【０１１７】
被覆部材２５は、主封印部材２１，３１の外部より孔が開けられ、封印金具１１が抜き取られたりするのを防ぎ、もって不正に基盤ボックス４０が開封されるのを防止するために設けられたものである。被覆部材２５は、４つ並んだ主封印部材２１，３１の両端部側面を被覆するように形成された側面被覆部２５ａと、各主封印部材２１の底面部を被覆するように形成された底面被覆部２５ｂと、各主封印部材２１，３１の取付部材２２，３２とは反対側にあたる各主封印部材２１，３１前面部を被覆するように形成された前面被覆部２５ｃとで構成されている。側面被覆部２５ａ、底面被覆部２５ｂおよび前面被覆部２５ｃはそれぞれ略板状体であるとともに、各板状体とも略平行に配設された複数枚、例えば３枚の板状体で構成されている。また、平行状態にある各板状体の間には所定の隙間が形成されている。なお、前記各被覆部２５ａ〜２５ｃはそれぞれポリカーボネート樹脂等の耐衝撃性を有する合成樹脂材料で形成されている。側面被覆部２５ａは、その板状面が前記両端部側面を向くように、取付部材２２の板状体２２ａに固着されている。底面被覆部２５ｂは、その板状面が各主封印部材２１の底面部を向くように、取付部材２２の板状体２２ａに固着されている。さらに、側面被覆部２５ａと底面被覆部２５ｂとは互いに交わる部分で固着されている。また、前面被覆部２５ｃは、その板状面が各主封印部材２１，３１前面部を向くように、側面被覆部２５ａおよび底面被覆部２５ｂにそれぞれ固着されている。側面被覆部２５ａおよび前面被覆部２５ｃの上端部は前記主封印部材３１の上端部と同等の高さに形成されている。なお、各主封印部材２１，３１上面部は被覆部材２５によって被覆されていない。つまり、被覆部材２５は、各主封印部材２１，３１の上面部が被覆されないように図の上方に開口した状態で形成されている。
【０１１８】
さらに、ユニット部材３０は、封印金具１１とユニット部材２０とを介して、基板ボックス４０を封印するためのものである。ユニット部材３０は、ポリカーボネート樹脂等の耐衝撃性を有する合成樹脂材料で形成されており、基板ボックス４０のボックス蓋体４２の側壁４２ａに取り付けられている。このユニット部材３０は、封印金具１１が係合される主封印部材３１と、ユニット部材３０をボックス蓋体４２に取り付けるための取付部材３２と、各主封印部材３１と取付部材３２とを互いに連結するための連結部材３３と、各主封印部材３１のそれぞれを互いに連結する複数の連結部材３４とを備えている。尚、各主封印部材３１はそれぞれ略同一に構成されているので、以下、同一の部分には同一の番号を付してその説明は省略する。
【０１１９】
図３に示すように、主封印部材３１は、略円柱状に形成されており、その一部には連結部材３３が固着され取付部材３２に連結されている。この主封印部材３１は、略等間隔を隔てて計４個連結されており、各主封印部材３１は前述したユニット部材２０の各主封印部材２１と対向する位置に設けられている（図２参照）。また、各主封印部材３１は、封印金具１１の頭部１１ｂの係合される係合穴３１ａと、その係合穴３１ａに連通して穿設された挿入孔３１ｂと、さらにその挿入孔３１ｂに連通して穿設された嵌合穴３１ｃと、その嵌合穴３１ｃの下方に設けられたスカート部３１ｄとを備えている。
【０１２０】
前記主封印部材３１の上面に形成された係合穴３１ａは、封印金具１１の頭部１１ｂが嵌合可能になっている。また、その下方に設けられた挿入孔３１ｂは、その幅が封印金具１１の頭部１１ｂの外径と比較して小さく形成されており、該頭部１１ｂは挿入孔３１ｂを通り抜けることができず、係合穴３１ａ内に確実に係合される。さらに、挿入孔３１ｂの下方に連通して設けられた嵌合穴３１ｃには、前記主封印部材２１の嵌合部２１ａが嵌合可能になっており、この嵌合穴３１ｃにはテーパ加工が施されている。これにより、主封印部材２１の嵌合部２１ａが容易に挿入されて嵌合させることができるようになっている。
【０１２１】
また、嵌合穴３１ｃの上壁面と主封印部材２１の嵌合部２１ａの上端面との間には、所定高さを有する保持部Ｈが形成されており、封印金具１１の両係止爪１１ｃが嵌合部２１ａの上端面により支持され保持されている。また、封印金具１１の両係止爪１１ｃが保持部Ｈにて保持されると、封印金具１１の頭部１１ｂは、係合穴３１ａ内に埋め込まれ、主封印部材３１の上面から突出することがない。よって、頭部１１ｂを掴んで封印金具１１を抜き取る不正行為や頭部１１ｂが何かに引っ掛かり封印金具１１が抜け落ちてしまうことを防止することができる。その結果、予備用（未使用）の封印金具１１は、主封印部材２１と主封印部材３１とを連結することなく、かつ、主封印部材３１内において抜き取り不可能な状態で保持することができるようになっている。
【０１２２】
主封印部材３１の下端面であって、嵌合穴３１ｃの縁部分に周設されたスカート部３１ｄは、主封印部材２１の嵌合溝２１ｄに嵌合可能に形成されており、その外周壁にはテーパが施されている。よって、スカート部３１ｄを嵌合溝２１ｄへ容易に嵌合させることができる。
【０１２３】
取付部材３２は、封印ユニット１のユニット部材３０をボックス蓋体４２に取り付けるためのものであり、対向して配設された一対の板状体３２ａ，３２ｂと、その一対の板状体３２ａ，３２ｂを互いに連結する複数の連結部材３２ｃと、板状体３２ｂに配設された嵌合穴３２ｄとを備えている。各板状体３２ａ，３２ｂは複数の連結部材３２ｃにより連結されており、この複数の連結部材３２ｃは計４箇所に配設されている。各連結部材３２ｃは、板状体３２ａの長手方向に略等間隔を隔てて配設された連結部材３３に対応して配設されている。
【０１２４】
よって、取付部材３２のうち、連結部材３３が固着されている部分の厚みは大きく形成され、その強度が強化されている。従って、連結部材３３を切断して主封印部材３１を除去する場合、取付部材３２の板状体３２ａに損傷を与えることがない。また、取付部材３２における一対の板状体３２ａ，３２ｂの間には所定幅の間隙Ｗ２が形成されており、この一対の板状体３２ａ，３２ｂの間に形成された間隙Ｗ２は、ボックス蓋体４２の側壁４２ａの板厚より大きく形成されている。
【０１２５】
図６に示すように、ボックス蓋体４２の側壁４２ａには、取付部材３２の各連結部材３２ｃに対応した略矩形状の係合溝４２ｂが略等間隔で計４箇所に形成されており、この各係合溝４２ｂは、ボックス本体４１に形成された各係合溝４１ｂに対向して側壁４２ａに形成されている。この係合溝４２ｂには、取付部材３２の各連結部材３２ｃをそれぞれ係合させることができる。各係合溝４２ｂに各連結部材３２ｃを係合すると、ボックス蓋体４２の側壁４２ａは、ユニット部材３０の取付部材３２における板状体３２ａ，３２ｂの間に挟み込まれ、図２に示すように、ユニット部材３０がボックス蓋体４２に取り付けられる。その結果、板状体３２ａ，３２ｂの間に挟み込まれた側壁４２ａ部分の剛性を向上させることができるとともに、ボックス蓋体４２の側壁４２ａに取り付けられたユニット部材３０を外れ難くすることができる。
【０１２６】
また、取付部材３２の長手方向の両端部分には、一対の取付孔３２ｅが板状体３２ａ，３２ｂのそれぞれを貫通して穿設されている（図３および図４参照）。ボックス蓋体４２の側壁４２ａには、前記取付孔３２ｅに対応して、一対の係合穴４２ｃが穿設されている（図６参照）。よって、ユニット部材３０の板状体３２ａ，３２ｂの間にボックス蓋体４２の側壁４２ａを挟み込みつつ、取付部材３２をボックス蓋体４２の側壁４２ａに「かしめ」またはネジ止めにより固定することができる（図２および図３参照）。
【０１２７】
図４に示すように、取付部材３２の板状体３２ｂには、略矩形状の係止穴３２ｆが穿設されている。この係止穴３２ｆには、ボックス蓋体４２の側壁４２ａ内側面に突設された係止爪４２ｅが係止されており、ユニット部材３０をボックス蓋体４２の側壁４２ａに「仮止め」することができる。かかる「仮止め」によって、前述した「かしめ」またはネジ止めによるユニット部材３０の固定作業を容易に行うことができる。
【０１２８】
尚、ボックス本体４１とユニット２０およびボックス蓋体４２とユニット３０は、それぞれ合成樹脂材料を使用して一体成形しても良い。
【０１２９】
嵌合穴３２ｄは、ユニット部材２０の補強部材２２ｄを嵌合しつつ、封印ユニット１が配設された基板ボックス４０の強度を補強するためのものである。この嵌合穴３２ｄは、ユニット部材２０の補強部材２２ｄが嵌合可能に穿設された上面視略矩形状の貫通穴である（図３参照）。この嵌合穴３２ｄに補強部材２２ｄを嵌合することにより、封印ユニット１、及び、その封印ユニット１が配設された基板ボックス４０の剛性を大きくすることができる。
【０１３０】
図３に示すように、各主封印部材３１と取付部材３２とを連結する連結部材３３は、取付部材３２の板状体３２ａの一側面に略等間隔を隔てて計４個配設されている。よって、計４個の各主封印部材３１が連結部材３３を介して略等間隔で取付部材３２に連結されることにより、ユニット部材３０が一体に形成されている。また、主封印部材３１と取付部材３２との間には、ニッパ等の工具の刃先が入り込むための間隔が形成される。すなわち、基板ボックス４０の内部を確認する際には、ニッパ等の工具が用いられることにより連結部材３３が容易に切断され、これにより主封印部材３１が除去されるようになっている。
【０１３１】
また、連結部材３４は、隣り合う各主封印部材３１を連結して、ユニット部材３０の強度を補強するためのものであり、略薄板状に形成されている。各連結部材３４は、各主封印部材３１の外周面のうち連結部材３３の固着側の反対部分に固着されており、各主封印部材３１のそれぞれを互いに連結してユニット部材３０の強度を補強している。この各連結部材３４の一側部分には、切り欠き３４ａが設けられており、かかる部分の剛性を低下させてある。よって、ニッパ等の工具を用いて連結部材３４を切断する場合、切り欠き３４ａが設けられた部分を切断することにより、容易に連結部材３４を切断することができる。また、切り欠き３４ａは、連結部材３４のうち、先に使用される主封印部材３１側（図の右側）の端部に設けられているので、連結部材３４を切断する場合、未使用の主封印部材３１の損傷を防止することができる。
【０１３２】
各連結部材３４の上面には、「１」から「４」までの番号表示Ｋがそれぞれ表示されている。この各番号表示Ｋは、ユニット部材３０の成形と同時に成形されており、各一対の主封印部材２１，３１が封印される順番を表している。よって、各主封印部材２１とそれに対向する各主封印部材３１とを「１」から「４」の各番号表示Ｋの順に封印金具１１を用いて封印するとともに、「１」から「４」の番号表示Ｋの順に封印された主封印部材２１又は３１に対応する連結部材２３，２４または連結部材３３，３４をニッパ等の工具を用いて切断することによって主封印部材２１又は３１を除去することができるようになっている。
【０１３３】
尚、この各番号表示Ｋを付す方法としては、「１」から「４」の数字を印刷した合成樹脂等のシート等を各主封印部材２１に貼付等したりしても良い。
【０１３４】
次に、上述した基板ボックス４０に取り付けられた封印ユニット１の使用方法について説明する。まず、ユニット部材２０の各連結部材２２ｃをボックス本体４１の各係合溝４１ｂに対応させて係合し、取付部材２２の一対の板状体２２ａ，２２ｂの間にボックス本体４１の側壁４１ａを挟み込むようにして、取付部材２２を側壁４１ａに填め込む。その後、取付部材２２の板状体２２ｂに設けられた係止穴２２ｆがボックス本体４１の係止爪４１ｅにより係止されるまで填め込み、ユニット部材２０をボックス本体４１に「仮止め」して、取付孔２２ｅおよび係合穴４１ｃを「かしめ」またはネジ止めにより固定する。
【０１３５】
また、同様に、ボックス蓋体４２の各係合溝４２ｂにユニット部材３０の各連結部材３２ｃを対応させて係合し、取付部材３２の一対の板状体３２ａ，３２ｂの間にボックス蓋体４２の側壁４２ａを挟み込むようにして、取付部材３２を側壁４２ａに填め込む。その後、取付部材３２の板状体３２ｂに設けられた係止穴３２ｆがボックス蓋体４２の係止爪４２ｅにより係止されるまで填め込み、ユニット部材３０をボックス蓋体４２に「仮止め」して、取付孔３２ｅおよび係合穴４２ｃを「かしめ」またはネジ止めにより固定する。
【０１３６】
このようにして、ユニット部材２０，３０をそれぞれ２個ずつボックス本体４１およびボックス蓋体４２に固定する（図１参照）。
【０１３７】
その後、ボックス本体４１内に制御回路基板を配設して固定した後、ユニット部材２０，３０の各主封印部材２１，３１を対向させて、ボックス本体４１にボックス蓋体４２を被せ、各主封印部材２１の嵌合部２１ａを各主封印部材３１の嵌合穴３１ｃに嵌合するとともに、各主封印部材３１のスカート部３１ｄを各主封印部材２１の嵌合溝２１ｄに嵌合する。そして、計４個の各主封印部材３１の係合穴３１ａおよび挿入孔３１ｂ内に封印金具１１をそれぞれ挿入して、その頭部１１ｂを押下し封印金具１１を主封印部材３１内に押し込む。
【０１３８】
封印金具１１が押し込まれると、封印金具１１の両係止爪１１ｃは、傾斜部分Ｔを介して板部１１ａ側へ徐々に弾性変形する。更に、封印金具１１を挿入し続けると、両係止爪１１ｃが弾性的に復元し、その両係止爪１１ｃは、嵌合穴３１ｃ内に係止されるとともに保持部Ｈに保持される。よって、各封印金具１１を主封印部材３１内に抜き取り不可能な状態で保持することができるとともに、封印金具１１の紛失を防止することができる（図４参照）。
【０１３９】
各主封印部材３１内に各封印金具１１を保持した後、各封印ユニット１の主封印部材３１のうち、「１」の番号表示Ｋの付された連結部材２４の左端部が固着されているもの（図２中右側）に挿入された封印金具１１の頭部１１ｂを押下して、その封印金具１１を更に押し込む。封印金具１１が押し込まれると、封印金具１１の両係止爪１１ｃは、傾斜部分Ｔおよび挿入孔２１ｂの面取り部Ｃを介して板部１１ａ側へ徐々に弾性変形する。封印金具１１を挿入し続けると、両係止爪１１ｃが弾性的に復元して、両係止爪１１ｃが主封印部材２１の係止孔２１ｃ内に係止され、封印金具１１が主封印部材２１内にて抜き取り不可能な状態で保持される。
【０１４０】
その結果、封印金具１１は、主封印部材２１内から抜き取り不可能となり、更に、封印金具１１の頭部１１ｂは、主封印部材３１の係合穴３１ａに係合されているので、基板ボックス４０のボックス本体４１とボックス蓋体４２とが開封不可能に連結され、基板ボックス４０を確実に封印することができる（図５参照）。
【０１４１】
また、主封印部材２１，３１の側面又は底面から孔を開けて封印金具１１の両係止爪１１ｃを弾性変形させ、封印金具１１を抜き取る等の不正行為を行おうとした場合、被覆部材２５が主封印部材２１，３１の周囲に設けられているため、被覆部材２５の表面上から孔を開けなければならなくなり、孔を開けた痕跡がより発見し易くなる。又、封印金具１１までの間に複数の壁が存在することやその壁によって被覆部材２５の表面上から封印金具１１まで距離が長くなることで、棒状のものを封印金具１１の位置まで差し込んで、両係止爪１１ｃを弾性変形させるには、その力を加えるための支点が定まりにくく、上記不正行為を行い難くなる。
【０１４２】
さらに、本実施の形態における封印金具１１には、その両側面に１個ずつ両係止爪１１ｃが形成されている。このため、封印金具１１を抜き取るには、両側面の両係止爪１１ｃを同時に押さえつけなければない。しかし、上記被覆部材２５の表面上から両係止爪１１ｃを同時に押さえつけるのは、非常に困難となる。その結果、上記不正行為をさらに行い難くなる。
【０１４３】
よって、基板ボックス４０に被包された制御回路基板上の制御用ＲＯＭ等を不適法に取り外して、パチンコ機５０の遊技内容を変更する不正行為を防止することができる。また、主封印部材２１，３１自体を破壊、切断等すれば基板ボックス４０を開封することができるが、その場合には、基板ボックス４０が開封された痕跡を確実に残すことができる。即ち、不正行為が行われたか否かを即座に発見することができる。
【０１４４】
さて、上述したように、係止爪１１ｃを有する封印金具１１により、ボックス本体４１とボックス蓋体４２とが開封不可能に構成されていること、及び、主封印部材２１，３１の周囲に被覆部材２５が設けられていること等により、不正行為を行うことが困難となるよう構成されているが、連結部材２３，３３をレーザカッタ等により巧妙に切断して、基板ボックス４０を開封するといった不正が行われることも考えられる。この場合、従来では不正な基板に取り替えたり、制御用ＲＯＭ等を不適法に取り替えたりした後で、切断面を再度巧妙に接合することで、不正が行われた事実を確認しにくくすることも考えられる。
【０１４５】
これに対し、本実施の形態では、前記各連結部材２３，３３内にはカプセル部材７１，７２が埋設されている。カプセル部材７１，７２は、薄肉のガラス製の壁部と、該壁部内に封入され、状態変化手段、収容物、物質を構成する着色塗料とによって構成されている。着色塗料としては、ニトロセルロースラッカー等のセルロース系塗料、アルキド樹脂エナメル、アミノアルキド樹脂エナメル、熱硬化性アクリル樹脂エナメル、アクリルラッカー、エポキシ樹脂塗料、フェノール樹脂塗料、塩化ビニル樹脂塗料、塩化ゴム塗料、不飽和ポリエステル樹脂ワニス、ポリウレタン樹脂塗料等の合成樹脂塗料、酢酸ビニルラテックスペイント等の水性塗料等が挙げられる。中でも、速乾性の有機溶媒を有する合成樹脂塗料が好適に用いられる。なお、カプセル部材７１，７２は、それぞれユニット部材２０，３０を成型する際にインサート成形によって埋設されている。さらに、カプセル部材７１，７２は、連結部材２３，３３のみならず、主封印部材２１，３１及び取付部材２２，３２にまで及んでいる。このため、連結部材２３，３３と、主封印部材２１，３１又は取付部材２２，３２との境界部位が巧妙に破断等された場合であってもカプセル部材７１，７２の壁部が破られ、塗料が漏出するようになっている。
【０１４６】
さて、基板ボックス４０を不正に開封する場合には、少なくとも、連結部材３３および「２」の番号表示Ｋが付された連結部材３４をニッパ、レーザカッタ等により切断するか、又は、連結部材２３および連結部材２４をニッパ、レーザーカッタ等により切断する必要がある。即ち、少なくとも連結部材２３，２４または連結部材３３，３４をそれぞれ切断しなければ、基板ボックス４０を開封することができない。よって、不正行為を行った者が、基板ボックス４０を開封して制御回路基板に不正改造等の不正行為を行った後、その不正行為を隠蔽する場合には、連結部材２３，２４または連結部材３３，３４の各切断部分のそれぞれに接着剤等を塗布し、かかる複数の切断部分をそれぞれ巧妙に再接合する必要がある。また、複数の切断部分を再接合して、切断の痕跡を隠蔽することは容易ではない。
【０１４７】
さらに、本実施の形態では、連結部材２３，３３等が切断された場合には、内部に埋設されているカプセル部材７１，７２の壁部が破られ、着色塗料が漏出するとともに、それが痕跡となって残存する。このため、不正行為を行ったことが一目瞭然となり、不正行為の隠蔽を確実に行うことができない。従って、不正行為を早期にかつ容易に発見することができるとともに、ひいては間接的にかかる不正行為を抑制することができる。
【０１４８】
ここで、封印状態にある基板ボックス４０を正規の手法で開封して制御回路基板上の制御用ＲＯＭを取り外して検査する方法について説明する。上記のように、封印金具１１の頭部１１ｂは主封印部材３１の係合穴３１ａに係合され、封印金具１１の両係止爪１１ｃは主封印部材２１の係止孔２１ｃ内に抜き取り不可能な状態で保持されているので、基板ボックス４０内の制御回路基板を適法に検査する場合、単純に封印金具１１を外して、基板ボックス４０を開封することはできない。すなわち、封印金具１１により封印されている主封印部材２１，３１と取付部材２２，３２とを連結している連結部材２３，３３を、ニッパ等の工具を用いて切断するとともに、封印されている主封印部材２１，３１と他の主封印部材２１，３１とを連結する連結部材２４，３４の切り欠き２４ａ，３４ａの部分を切断する。
【０１４９】
このようにして、連結部材２３，２４，３３，３４を切断することにより、基板ボックス４０の封印が解除され、ボックス本体４１からボックス蓋体４２を外すことができる。そして、制御用ＲＯＭ等の検査終了後、基板管理番号シール６１の検査履歴６１ｄに所定の事項を記載して、ボックス本体４１にボックス蓋体４２を被せて、未使用の一対の主封印部材２１，３１に保持されている封印金具１１を押し込むことにより、かかる主封印部材２１，３１を連結して、基板ボックス４０を再度封印する。もちろん、上記連結部材２３，３３の切断に際しては、カプセル部材７１，７２の壁部が破られ、着色塗料が漏出するが、この場合には正規の手法に基づく開封であるため、そのことを図７の基板管理番号シール６１等に記録したり、別の台帳等に記録したり、或いは記憶手段等に記憶させておけば不正行為によるものではないことを明確にしておくことができる。
【０１５０】
尚、本実施の形態では、各封印ユニット１に、主封印部材２１，３１が各４個ずつ計４組設けられているので、最大３回まで基板ボックス４０の封印を解除して開封することができる。また、止むを得ず全ての主封印部材２１，３１を切断して排除した場合には、ユニット部材２０，３０をボックス本体４１およびボックス蓋体４２に固定する「かしめ」またはねじ止めを取り付り外し、新たなに封印ユニット１のユニット部材２０，３０をボックス本体４１およびボックス蓋体４２に取り付ければよい。
【０１５１】
また、各４個ずつの主封印部材２１，３１に対応する各連結部材２３，３３に上記カプセル部材７１，７２が埋設されるが、この場合、各連結部２３，３３毎に着色塗料の色彩が相違するよう構成してもよい。このように構成することで、連結部材２３，３３の切断が行われて塗料が漏出する度に異なる外観（色調）を呈するため、何回目の封印解除が行われたのかを容易に把握することが可能となる。また、いずれの主封印部材２１，３１に関して解除操作が行われたのかを把握できる。このため、一旦正規の手法に基づいて基板ボックス４０が開封された場合であっても、別の主封印部材が操作されたことを容易かつ確実に把握することが可能となる。
【０１５２】
尚、上述した実施の形態の記載内容に限定されることなく、例えば次のように実施してもよい。
【０１５３】
（ａ）上記実施の形態では、カプセル部材７１，７２は、連結部材２３，３３のみならず、主封印部材２１，３１及び取付部材２２，３２にまで及ぶ構成としたが、連結部材２３，３３のみに設ける構成としてもよいし、破断等により塗料の漏出が可能な構成であれば、主封印部材２１，３１、或いは取付部材２２，３２のみに設けることとしてもよい。
【０１５４】
（ｂ）図８に示すように、ユニット部材２０，３０の相互の当接面（主として連結部２３，３３の当接面）に、上端側、下端側がそれぞれ開口する収容部７３，７４を形成しておいて、両ユニット部材２０，３０を当接させる際に該収容部７３，７４内にカプセル部材７５を収容させることとしてもよい。このように構成することで、カプセル部材７５を封入状態に維持することができる。このため、上記実施の形態のように別途ユニット部材２０，３０の成形時にインサート成形等を行ったりする必要がなくなり、設置作業を著しく容易に行うことができる。
【０１５５】
（ｃ）上記実施の形態では、着色塗料が壁部にて封入されたカプセル部材７１，７２を設けることとしたが、必ずしもカプセル状としなくてもよい。例えば、塗料等の液状物を連結部材２３，３３等に直接封入する構成としてもよい。このような構成としても、連結部材２３，３３等が切断された場合に、塗料等の漏出が起こり、不正行為の発見を行うことが可能となる。
【０１５６】
（ｄ）着色塗料以外にも透明、半透明の塗料を用いてもよい。このように透明性を付与することで、不正行為者が気付きにくい場合があり、証拠として塗料等を残存させやすくなる。その結果、より確実に不正行為を発見することが可能となる。この場合の塗料としては、蛍光塗料や、所定の光線（例えば紫外線や赤外線）を当てることにより発色する透明塗料等を例示することができる。
【０１５７】
（ｅ）塗料以外にも、例えば、着色料を含んだ水溶液、染料、接着剤といった他の液状物を用いてもよい。もちろん、所定の粘性を有していたり、固形物を分散状態で含む液状物であってもよい。
【０１５８】
（ｆ）状態変化手段、収容物としては、液状物に限られず、固体物であってもよい。固体物としては、紛状物や粒状物、或いは、完封状態が解除されたときに体積変化を起こすようなもの等、外観上、当初の封止状態とは相違する状態となることが明らかとなるようなものが好ましい。なお、粉体物の例として、粉体塗料を挙げることができ、その具体例としてエポキシ系、アクリル系、ポリエステル系の粉体塗料が挙げられる。
【０１５９】
（ｇ）カプセル部材７１，７２の壁部を構成する素材は、ガラス以外のプラスチック、ゴム、金属等であってもよい。
【０１６０】
（ｈ）上記実施の形態では特に言及していないが、カプセル部材７１，７２や塗料等が外部から視認出来る構成であってもよいし、視認できない構成であってもよい。外部から視認できない構成とした場合には、不正行為者はカプセル部材７１，７２が設けられていることに当初は気づきにくく、塗料等が漏出した場合に初めて気付く場合が生じ、場合によっては、不正を未遂で終わらせることも可能となる。
【０１６１】
（ｉ）上記実施の形態における被覆部材２５を省略する構成としてもよい。また、上記被覆手段２５をもって着色塗料が漏出した場合の流出防止手段としてもよい。すなわち、正規に或いは不正に連結部材２３，３３を切断した場合には、着色塗料が漏出するのだが、被覆部材２５の存在により塗料が外部に滴下したりするのを防止することができる。この場合に、被覆部材２５に別途返し部を主封印部材２１，３１の（図２の）上面部分に設けることによって、塗料受け部を構成することとしてもよい。また、スポンジ、紙、受け皿等の流出防止手段を別途設けることにより、塗料が流下したり滴下したりするのを防止するようにしてもよい。同様に、基板側に塗料が流下したり滴下したりするのを防止するスポンジ、紙、受け皿等の流出防止手段を設けてもよい。この場合、図１の上部に配設される封印ユニット１に対応して流出防止手段が設けられる。
【０１６２】
（ｊ）上記実施の形態では、主として遊技機の主基板を封印する遊技機用基板ボックス封印ユニットを説明しているが、前記遊技機用基板ボックス封印ユニットを遊技機に存在する各種基板を収納する基板ボックスにそれぞれ設けることとしてもよい。例えば、遊技機の各種回路の電源を制御する電源基板、パチンコ球の払い出しを制御する払出制御基板、パチンコ球の発射を制御する発射制御基板、図柄等を表示する可変表示装置を制御する表示制御基板、音声を制御する音声制御基板、ランプの点灯等を制御するランプ制御基板等を封印する基板ボックスに封印ユニットを設けてもよい。特に前記払出制御基板のように、不正行為を行われやすい基板を収納した遊技機用基板ボックスに封印ユニットを設ければ、収納された制御基板からＲＯＭを取り外して交換したり基板を交換したりすることにより、払い出されるパチンコ球数を変更するといった不正行為を防止することができる。
【０１６３】
（ｋ）また、本実施の形態における遊技機用基板ボックス封印ユニットとしての封印ユニット１を構成する封印部材２１，３１は、基板ボックス４０を構成するボックス本体４１及びボックス蓋体４２とはそれぞれ別体で構成されていたが、これを一体として遊技機用基板ボックス封印ユニットとしてもよい。
【０１６４】
（ｌ）上記実施の形態における封印金具１１の両係止爪１１ｃは、板部１１ａ左右側面上に上下方向の中心軸を挟んで略対称となるように形成されているが、これに限らず、複数の係止爪１１ｃを板部１１ａの側面上の上下方向にずらして配設する構成としてもよい。このような構成にすれば、主封印部材２１，３１の連結を解除するにあたり、複数の係止爪１１ｃを何度も押さえつけなければならないため、不正行為を行い係止爪１１ｃの係止解除を行うのは困難になる。
【０１６５】
また、係止爪１１ｃを板部１１ａの片側側面上に１つだけ設けて、これを基板ボックス４０に対向するよう挿入することとしてもよい。このようにすれば、係止爪１１ｃが１つだけでも、係止爪１１ｃに向かって孔を開け、係止爪１１ｃを押さえ付けることは困難となる。結果として、主封印部材２１，３１の連結状態を解除することは容易にはできなくなり、不正行為を防止することができる。
【０１６６】
さらに、本実施の形態において、封印金具１１は略板状体の形状のものを使用したが、これに限らず、略棒形状等の封印金具を使用することとしてもよい。又は、封印金具は金具でなくとも、例えば樹脂等の主封印部材２１，３１を連結できるものであれば、何でもよい。
【０１６７】
（ｍ）上記実施の形態では、主封印部材２１，３１を連結し基板ボックス４０を封印するための連結保持部材として封印金具１１を使用した。しかし、かかる部材は、これに限られるものではなく、例えば上記従来の技術で説明したような封印ねじ等を使用してもよい。
【０１６８】
（ｎ）上記実施の形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。また、パチンコ機以外にも、アレパチ、雀球、スロットマシン、いわゆるパチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。
【０１６９】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１７０】
（ｏ）封印ユニット１に加えて、又は、代えてボックス本体若しくはボックス蓋体、又は、ボックス本体及びボックス蓋体双方に着色塗料等の物質を設けることとしてもよい。
【０１７１】
例えば、図９に示すように、ボックス本体８１に対しボックス蓋体８２が被せられる構成となっている場合において、ボックス本体８１の側壁部８３には収容部８４が形成されているとともに、ボックス蓋体８２の側壁部８５にも収容部８６が形成されている。そして、例えば収容部８４に、着色塗料の封入されたカプセル部材８７を収容する。このとき、収容部８４及びカプセル部材８７間には接着剤を介在させるのが望ましい。次に、収容部８６に前記カプセル部材８７の突出部分が収容されるようボックス本体８１に対しボックス蓋体８２を被せる（このとき収容部８６及びカプセル部材８７間にも接着剤を介在させるのが望ましい）。その後、ボックス本体８１及びボックス蓋体８２を接合固定する。このように構成することで、不正にボックス蓋体８２を取り外そうとした場合に、カプセル部材８７が破断して着色塗料が漏出し、痕跡を残させることが可能となる。また、同図に示すように側壁部８３に延長壁部（流出防止手段）８８を設けておけば、塗料がボックス本体８１内部に流入してくるのを抑制することができる。なお、この場合においても、上記実施の形態のような封印ユニットを設けない構成としても何ら差し支えない。
【０１７２】
また、図９では、収容部８４，８６を共に側壁部８３，８５に設けることとしたが、ボックス本体又はボックス蓋体のいわゆる本体部分に設けることとしてもよい。例えば図１０に示すように、ボックス本体９１に対しボックス蓋体９４が被せられる構成となっている場合において、ボックス本体９１の側壁部９２には収容部９３が形成されているとともに、ボックス蓋体９４の本体部分たる天板部に収容部９５が形成されている。そして、例えば収容部９３に、着色塗料の封入されたカプセル部材８７を収容する。このとき、収容部９３及びカプセル部材８７間には接着剤を介在させるのが望ましい。次に、収容部９５に前記カプセル部材８７の突出部分が収容されるようボックス本体９１に対しボックス蓋体９４を被せる（このとき収容部９５及びカプセル部材８７間にも接着剤を介在させるのが望ましい）。その後、ボックス本体９１及びボックス蓋体９４を接合固定する。このように構成しても、上記と同様の作用効果が奏される。
【符号の説明】
【０１７３】
１…封印ユニット、１１…封印金具（連結保持部材）、１１ｂ…頭部、１１ｃ…係止爪（係止部）、２０…第１封印部材を構成するユニット部材、３０…第２封印部材を構成するユニット部材、２１，３１…主封印部材、２２，３２…取付部材、２３，３３…連結部材、２４，３４…連結部材、２５…被覆部材、４０…基板ボックス（基板被包部材）、４１，８１，９１…第１被包部材としてのボックス本体、４２，８２，９４…第２被包部材としてのボックス蓋体、７１、７２，７５，８７…カプセル部材、７３，７４、８４，８６，９３，９５…収容部。
【図１】
2010155133.tif 000003
【図２】
2010155133.tif 000004
【図３】
2010155133.tif 000005
【図４】
2010155133.tif 000006
【図５】
2010155133.tif 000007
【図６】
2010155133.tif 000008
【図７】
2010155133.tif 000009
【図８】
2010155133.tif 000010
【図９】
2010155133.tif 000011
【図１０】
2010155133.tif 000012